(57)【要約】      （修正有）【課題】コンクリート製品の角欠けやフィルムの損傷を防止し、被覆によっても製品表示が見えにくくなることのない養生用ストレッチフィルムの被覆構造を提供する。【解決手段】製造用型枠から脱型後の各コンクリートブロック１個々の６面全面を、空隙なく、かつ粘着テープを使用せず被覆する養生用ストレッチフィルム２の被覆構造において、コンクリートブロック１の８箇所のエッジ部１ａ、１ｂとストレッチフィルム２の間に緩衝材４を装備させる。また、コンクリートブロック１の製品表示部５と透明または半透明なストレッチフィルム２の被覆面とを剥離可能な状態で密着させる。【選択図】図１
0003163605.tif 000002
【実用新案登録請求の範囲】
【請求項１】
製造用型枠から脱型後の各コンクリートブロック個々の６面全面を、空隙なく、かつ粘着テープを使用せず被覆する養生用ストレッチフィルムの被覆構造において、前記コンクリートブロックの８箇所のエッジ部とストレッチフィルムの間に緩衝材が装備されていることを特徴とする養生用ストレッチフィルムによるコンクリートブロックの被覆構造。
【請求項２】
前記コンクリートブロックの製品表示部と透明または半透明なストレッチフィルムの被覆面とを剥離可能に密着させてあることを特徴とする請求項１記載の養生用ストレッチフィルムによるコンクリートブロックの被覆構造。
【考案の詳細な説明】
【技術分野】
【０００１】
本考案は、製造用型枠から脱型後の各コンクリートブロック個々の６面全面を空隙なく、かつ粘着テープを使用せず被覆する養生用ストレッチフィルムにおいて、製品の角欠けやフィルムの損傷を防止し、被覆によっても製品表示が見えにくくなることのない養生用ストレッチフィルムによるコンクリートブロックの被覆構造に関するものである。
【背景技術】
【０００２】
従来、工場で製作されるコンクリートセグメント等のブロックは、製造用型枠からの脱型後、コンクリート構造物へと組み立てるまでの間、一時保管しておくのが一般的であり、保管時は、野外において、所謂、野積み状態にしておくことが多い。
【０００３】
しかしながら、野積み状態で各コンクリートブロックを保管しておくと、コンクリート構造物として組み立てるまでの間に、風雨や太陽光線の影響（酸性雨、乾燥、粉塵の影響）を受けてしまう。
【０００４】
また、各コンクリートブロックに設けている接続用金具が錆びてしまうことや、各コンクリートブロックに塗布したペンキが劣化して剥がれるなどの問題が発生する。そして、これらのことは、各コンクリートブロックをコンクリート構造物へと組み立てる時の作業効率が悪くなるなど組立て時に悪影響を及ぼしてしまうことが考えられる。
【０００５】
このような不具合を解消する手段として、例えば特許文献１では、コンクリートブロックの製造用型枠からの脱型後に、その各コンクリートブロックを個々に、シート状のラップフィルムで被覆し、かつ、このラップフィルムの端部継ぎ目を粘着テープで固定することにより密封梱包すると共に、この梱包状態で、コンクリート構造物へと組み立てるまで保管することを特徴とするコンクリートブロックの養生方法が開示されている。
【０００６】
また、特許文献２では、コンクリート型枠を取り外した後の湿潤状態にあるコンクリート打設面にラップフィルムを装着し、さらに遮光シートにより覆って、所定期間養生することを特徴とするコンクリートの養生方法が開示されている。また、このような養生方法において使用される養生シートとして、特許文献３などがある。
【先行技術文献】
【特許文献】
【０００７】
【特許文献１】特開２００２−２４９１６８号公報
【特許文献２】特開２００３−３３５５８７号公報
【特許文献３】実開昭６３−０２１３６７号公報
【考案の概要】
【考案が解決しようとする課題】
【０００８】
特許文献１によれば、各コンクリートブロックを個々に、シート状のラップフィルムで６面全面を被覆し、かつ、このラップフィルムの端部継ぎ目を粘着テープで固定することにより密封梱包して、組立て時まで保管することができ、コンクリートブロックに対する風雨や太陽光線の影響（例えば、酸性雨、乾燥、粉塵、排気ガスの影響）を少なくすることができる。
【０００９】
しかし、ラップフィルムは引張強度に優れるとはいえ、コンクリートブロックのエッジ部で裂けやすく、また取扱いによっては、ラップフィルムとともに製品エッジ部が欠けてしまうといった問題があった。また、ラップフィルムで覆った場合、製品表面の種別や製造番号等の表示部が見えにくくなってしまう問題もあった。
【００１０】
本考案は、このような問題点を解消すべくなされたもので、製品の角欠けやフィルムの損傷を防止し、被覆によっても製品表示が見えにくくなることのない養生用ストレッチフィルムの被覆構造を提供することを目的としている。
【課題を解決するための手段】
【００１１】
請求項１に係る考案は、製造用型枠から脱型後の各コンクリートブロック個々の６面全面を、空隙なく、かつ粘着テープを使用せず被覆する養生用ストレッチフィルムの被覆構造において、前記コンクリートブロックの８箇所のエッジ部とストレッチフィルムの間に緩衝材が装備されたことを特徴とするものである。
【００１２】
請求項２に係る考案は、請求項１に記載の考案において、前記コンクリートブロックの製品表示部と透明または半透明なストレッチフィルムが剥離可能に密着していることを特徴とするものである。
【考案の効果】
【００１３】
本考案は、以上のような構成からなるので次のような効果が得られる。
【００１４】
フィルムを被覆する際に、フィルムを伸ばしても、コンクリートブロックのエッジ部によって引き裂かれてしまうことはない。また、フィルムを被覆した後は、緩衝材が製品エッジ部を保護し、移動時や反転時にエッジ部が欠け、フィルムが破れることを防止できる。
【００１５】
請求項２に係る考案によれば、製品表示部はストレッチフィルムと密着していることから、光反射等によって、表示が見えにくくなることはない。また、梱包を解除する際に、製品表示部とストレッチフィルムは剥離可能である。
【図面の簡単な説明】
【００１６】
【図１】本考案に係るストレッチフィルムによる被覆構造におけるセグメントの梱包手順を概略的に示す斜視図である。
【図２】図１の実施形態におけるセグメントエッジ部の拡大図である。
【図３】図１の実施形態におけるセグメント表示シート部の拡大図である。
【図４】本考案で用いるストレッチフィルムが巻かれた状態の斜視図である。
【考案を実施するための形態】
【００１７】
以下、図面に基づいて、本考案の実施の形態を詳細に説明する。
【００１８】
図１は、本考案に係るストレッチフィルム２による被覆構造の実施例であり、セグメント１を被覆する場合の梱包手順を示したものである。
【００１９】
まず、工場等において、硬化したコンクリートセグメント１を脱型し、ストレッチフィルム２を敷いた架台３に載せる。この際、載置されるコンクリートセグメント１のエッジ部１ａに緩衝材４が当接するようにする。
【００２０】
次ぎに、ストレッチフィルム２を、底部から上方に立ち上がり面の双方向から持ち上げ、セグメント１の他の面全体を被覆する。この際、セグメント１の他のエッジ部１ｂにも緩衝材４を装着する。
【００２１】
ストレッチフィルム２は、塩化ビニル樹脂や、低密度ポリエチレンやエチレン−酢酸ビニル共重合体等のポリエチレン系樹脂など、水分を透過せず、透明性と自己粘着性を備えた透明または半透明のものを使用するのが好ましい。また、ストレッチフィルム２として、生分解性のストレッチフィルムを使用すれば、廃棄時の環境負荷も軽減できる。
【００２２】
緩衝材４として、例えばスポンジや発泡ポリスチレンなどが適用できる。むろん、粘着物を介して、ストレッチフィルム２の被覆面に前もって装着しておいてもよい。
【００２３】
実施例では、幅４０ｍｍ、厚さ５ｍｍ程度のスポンジ状の緩衝材を使用して、コンクリートセグメントのエッジ部に食い込み、セグメントの破損を防止するようにしている。この際、図２で示したように、できるだけフィルムと製品の間に空間が生じないよう裏当て材６をあてがうことが望ましい。この裏当て材６は、製品を損なわないものでなければ、材質や種類は特に問わない。
【００２４】
セグメント１の所定位置には、適用工区、製造年月日、種別等を記載した表示シート５が貼り付ける。表示シート５の表面は剥離可能な粘着性を有しており、表示シート５はストレッチフィルム２と密着した状態となるため、光反射等によって表示内容が見えにくくなることはない。このような被覆構造は、剥離性のある粘着スプレーを表示シート５に吹き付けることでも可能だが、ストレッチフィルムの被覆面を粘着性とした方が好ましい。
【００２５】
このようにして、コンクリートセグメント１全面をストレッチフィルム２で覆った後、所定の余長を残して切断し、引張力を与えながら端部を重ねあわせ、ストレッチフィルム２自体の自己粘着性によって個々のコンクリートセグメントを梱包する。
【００２６】
図示した実施例には示していないが、コンクリートセグメントをストレッチフィルムで被覆する際、保湿性を有したシートなどを使用することによって、梱包内で湿度を保つことも可能である。また、図示したストレッチフィルムより幅の小さなもので、包帯状に被覆することも可能である。こうした方法は、継手部材のように突出した部位を持つ場合にも有効である。
【００２７】
このように梱包された個々のコンクリートセグメントを、１リングまたは積み込み数単位において、遮光シートで２次被覆する。遮光シートは、必ずしも光反射層を備えたものでなくともよく、例えば、農業用の日よけネットなど黒色で熱を吸収しやすい材質のものを用いることができる。このように、２次被覆することで、直射日光から防ぐとともに、ストレッチフィルムの紫外線による劣化を防ぐことができる。
【産業上の利用可能性】
【００２８】
以上に述べたように、本考案はコンクリートブロックを運搬する際、コンクリート製品の角欠けやフィルムの損傷を防止し、天候等から受ける影響を少なくすることができる養生用ストレッチフィルムの被覆構造であり、コンクリートブロックの養生および保守を同時に図ることができる。
【符号の説明】
【００２９】
１…セグメント、１ａ…下部エッジ部、１ｂ…上部エッジ部、
２…ストレッチフィルム、
３…架台、
４…緩衝材、
５…表示シート、
６…裏当て材
【図１】
0003163605.tif 000003
【図２】
0003163605.tif 000004
【図３】
0003163605.tif 000005
【図４】
0003163605.tif 000006